(57)【要約】【課題】ベースフレームに履帯フレームを幅変更可能に締結する履帯フレーム締結ボルトおよびその周辺部に土砂が堆積するおそれを防止できる走行装置を提供する。【解決手段】走行装置において、複数の履帯フレーム締結ボルト２８ａ，２８ｂのボルトヘッド部が突出する履帯フレーム取付体２５のボルト結合部２６にボルトカバー３１を着脱可能に設置する。ボルトカバー３１は、履帯フレーム締結ボルト２８ａ，２８ｂのうち最も内奥端に位置する最端部の履帯フレーム締結ボルト２８ａおよびそのボルト挿通部２７ａに回転自在に嵌合してボルトカバー３１の回転中心となるボルト嵌合穴部３２と、最端部の履帯フレーム締結ボルト２８ａを中心とするボルトカバー３１の回転方向によって側方に設けた開口部３３より他の履帯フレーム締結ボルト２８ｂおよびそれらのボルト挿通部２７ｂと嵌脱する複数のボルト嵌合溝部３４とを具備している。【選択図】        図１
2005014688.tif 000002
【特許請求の範囲】
【請求項１】
機体に設けられたベースフレームと、
ベースフレームから機体幅方向の一側部および他側部に突設された履帯フレーム取付体と、
履帯フレーム取付体の機体幅方向に配設された複数のボルト挿通部に挿入された複数の履帯フレーム締結ボルトと、
複数の履帯フレーム締結ボルトにより履帯フレーム取付体に幅変更可能に締結された履帯フレームと、
履帯フレームの周囲に装着された履帯と、
複数の履帯フレーム締結ボルトのボルトヘッド部が突出する履帯フレーム取付体のボルト結合部に着脱可能に設置されたボルトカバーと
を具備したことを特徴とする走行装置。
【請求項２】
ボルトカバーは、
複数の履帯フレーム締結ボルトのうち最も内奥端に位置する最端部の履帯フレーム締結ボルトに回転自在に嵌合されてボルトカバーの回転中心となるボルト嵌合穴部と、
最端部の履帯フレーム締結ボルトを中心とするボルトカバーの回転方向によって側方に設けられた開口部より最端部の履帯フレーム締結ボルト以外の他の履帯フレーム締結ボルトに嵌脱されるボルト嵌合溝部と
を具備したことを特徴とする請求項１記載の走行装置。
【請求項３】
ボルトカバーは、
履帯フレーム取付体と対向する外側縁部に設けられた楔状部材を打込むための隙間部
を具備したことを特徴とする請求項１または２記載の走行装置。
【請求項４】
ボルトカバーは、履帯フレーム取付体の一側部および他側部に設けられたボルト結合部にそれぞれ設置され、
両側部のボルトカバーにてそれぞれのボルト嵌合穴部とは反対側に位置する端面どうしを締結する締結手段
を具備したことを特徴とする請求項２または３記載の走行装置。
【発明の詳細な説明】
【０００１】
【発明の属する技術分野】
本発明は、幅変更可能な履帯フレームを有する走行装置に関する。
【０００２】
【従来の技術】
油圧ショベルは、下部の走行装置に対し、キャブ、作業装置などが搭載された上部の旋回フレームが旋回自在に設けられている。走行装置は、中央のベースフレームに対し走行方向に向って左右両側部に履帯フレームが取付けられ、これらの履帯フレームの一端部に軸支されたスプロケット、他端部に軸支されたアイドラに履帯が巻掛けられている。
【０００３】
このような油圧ショベルの走行装置において、中央のベースフレームから機体幅方向の一側部および他側部に複数の履帯フレーム取付体がそれぞれ突設され、これらの履帯フレーム取付体のボルト結合部に複数のボルト挿通部がそれぞれ機体幅方向に配設され、これらのボルト挿通部の中から選択された必要なボルト挿通部に履帯フレーム締結ボルトがそれぞれ挿入され、これらの履帯フレーム締結ボルトにより履帯フレーム取付体に履帯フレームが幅変更可能すなわち拡幅可能に締結された締結装置が知られている（例えば、特許文献１参照）。
【０００４】
【特許文献１】
実願平２−２１２１１号（実開平３−１１５１５７号）のマイクロフィルム（第５−７頁、第１−５図）
【０００５】
【発明が解決しようとする課題】
このような複数の履帯フレーム締結ボルトによりベースフレームの履帯フレーム取付体に履帯フレームを拡幅可能に締結するものでは、履帯フレーム締結ボルトのボルトヘッド部、ボルト挿通部が配設された履帯フレーム取付体のボルト結合部に多量の土砂が堆積する。
【０００６】
油圧ショベルのユーザは、定期的にこの履帯フレーム取付体のボルト結合部を清掃するが、粘土質および水分を含んだ土砂が堆積し乾燥すると固まるので、その土砂落し作業が重労働となる。
【０００７】
この履帯フレーム取付体のボルト結合部は、特に、多数の履帯フレーム締結ボルトのボルトヘッド部が突出した部分で、凹凸があり、土砂落しに用いるショベルが引っ掛るなどして、作業性を悪くしているので、改善要望の多い箇所である。
【０００８】
本発明は、このような点に鑑みなされたもので、ベースフレームに履帯フレームを幅変更可能に締結する履帯フレーム締結ボルトおよびその周辺部に土砂が堆積するおそれを防止できる走行装置を提供することを目的とするものである。
【０００９】
【課題を解決するための手段】
請求項１に記載された発明は、機体に設けられたベースフレームと、ベースフレームから機体幅方向の一側部および他側部に突設された履帯フレーム取付体と、履帯フレーム取付体の機体幅方向に配設された複数のボルト挿通部に挿入された複数の履帯フレーム締結ボルトと、複数の履帯フレーム締結ボルトにより履帯フレーム取付体に幅変更可能に締結された履帯フレームと、履帯フレームの周囲に装着された履帯と、複数の履帯フレーム締結ボルトのボルトヘッド部が突出する履帯フレーム取付体のボルト結合部に着脱可能に設置されたボルトカバーとを具備した走行装置であり、ベースフレームの履帯フレーム取付体に履帯フレームを複数の履帯フレーム締結ボルトにより締結したとき、そのボルトヘッド部が突出する履帯フレーム取付体のボルト結合部にボルトカバーを着脱可能に設置したので、土砂落しの困難な履帯フレーム締結ボルトのボルトヘッド部およびその周辺部に土砂が直接堆積するおそれを、このボルトカバーにより防止できるとともに、着脱可能に設置されたボルトカバーを取外すことで、このボルトカバー上に堆積した土砂落しを容易にできる。
【００１０】
請求項２に記載された発明は、請求項１記載の走行装置におけるボルトカバーが、複数の履帯フレーム締結ボルトのうち最も内奥端に位置する最端部の履帯フレーム締結ボルトに回転自在に嵌合されてボルトカバーの回転中心となるボルト嵌合穴部と、最端部の履帯フレーム締結ボルトを中心とするボルトカバーの回転方向によって側方に設けられた開口部より最端部の履帯フレーム締結ボルト以外の他の履帯フレーム締結ボルトに嵌脱されるボルト嵌合溝部とを具備した走行装置であり、最端部の履帯フレーム締結ボルトにボルト嵌合穴部を介して嵌合されたボルトカバーを、この最端部の履帯フレーム締結ボルトを中心に回転させることで、ボルトカバーの側方に設けられた開口部よりボルトカバーのボルト嵌合溝部を最端部の履帯フレーム締結ボルト以外の他の履帯フレーム締結ボルトに嵌脱させるようにしたので、ボルト軸方向に履帯などが位置してスペースの余裕がない場合でも、ボルトカバーを履帯フレーム取付体のボルト結合部に対し容易に着脱できる。
【００１１】
請求項３に記載された発明は、請求項１または２記載の走行装置におけるボルトカバーが、履帯フレーム取付体と対向する外側縁部に設けられた楔状部材を打込むための隙間部を具備した走行装置であり、履帯フレーム取付体と対向するボルトカバーの隙間部に楔状部材を打込むことで、履帯フレーム取付体に対しボルトカバーを浮かすように動かして容易に取外すことができるとともに、このボルトカバーの動きで、ボルトカバーに固着している土砂を容易に落すことができる。
【００１２】
請求項４に記載された発明は、請求項２または３記載の走行装置におけるボルトカバーが、履帯フレーム取付体の一側部および他側部に設けられたボルト結合部にそれぞれ設置され、両側部のボルトカバーにてそれぞれのボルト嵌合穴部とは反対側に位置する端面どうしを締結する締結手段を具備した走行装置であり、履帯フレーム取付体の両側部に設けられたボルトカバーにてボルト嵌合穴部とは反対側に位置する端面どうしを締結手段により締結するので、これらのボルトカバーがそれらのボルト嵌合穴部を中心に開く方向に回動して脱落するおそれを確実に防止できる。
【００１３】
【発明の実施の形態】
以下、本発明を図１乃至図４に示された一実施の形態を参照しながら詳細に説明する。
【００１４】
図３に示されるように、作業機械としての油圧ショベルは、下部の走行装置１１に対し、旋回軸受部１２を介し上部の旋回フレーム１３が旋回自在に設けられ、この旋回フレーム１３上に、エンジンおよび油圧ポンプなどの動力部１４、オペレータを保護するキャブ１５、建設作業用の作業装置１６などが搭載されている。
【００１５】
走行装置１１は、旋回軸受部１２が設けられた機体中央に設けられたベースフレーム１７に対し機体幅方向の左右両側部に履帯フレーム１８が取付けられ、これらの履帯フレーム１８の一端部に走行モータにより駆動されるスプロケット１９がそれぞれ軸支され、他端部にアイドラ２１がそれぞれ回動自在に軸支され、下側部に複数の下部ローラ２２がそれぞれ回動自在に軸支され、上側部に複数の上部ローラ２３がそれぞれ回動自在に軸支され、これらの履帯フレーム１８の周囲に配置されたスプロケット１９、アイドラ２１、下部ローラ２２、上部ローラ２３に履帯２４が巻掛け装着されている。
【００１６】
図４に示されるように、機体中央に設けられたベースフレーム１７から機体幅方向の一側部および他側部に複数の履帯フレーム取付体２５がそれぞれ突設され、これらの履帯フレーム取付体２５の各前後両側部にそれぞれ設けられたボルト結合部２６に複数のボス状のボルト挿通部２７がそれぞれ機体幅方向に配設され、これらのボルト挿通部２７の中から選択された必要なボルト挿通部２７に複数の履帯フレーム締結ボルト２８がそれぞれ挿入され、これらの履帯フレーム締結ボルト２８により履帯フレーム取付体２５に履帯フレーム１８が幅変更可能すなわち拡幅可能に締結されている。
【００１７】
このような油圧ショベルの走行装置１１において、複数の履帯フレーム締結ボルト２８のボルトヘッド部が突出する履帯フレーム取付体２５の一側部および他側部に設けられた各ボルト結合部２６に、図１に示されるようにボルトカバー３１がそれぞれ着脱可能に設置されている。
【００１８】
これらのボルトカバー３１は、複数の履帯フレーム締結ボルト２８のうち最も内奥端に位置する最端部の履帯フレーム締結ボルト２８ａおよびそのボルト挿通部２７ａに回転自在に嵌合されてボルトカバー３１の回転中心となるボルト嵌合穴部３２と、最端部の履帯フレーム締結ボルト２８ａを中心とするボルトカバー３１の回転方向によって側方に設けられた開口部３３より最端部の履帯フレーム締結ボルト２８ａ以外の他の履帯フレーム締結ボルト２８ｂおよびそれらのボルト挿通部２７ｂに嵌脱される複数のボルト嵌合溝部３４とを具備している。
【００１９】
これらのボルトカバー３１は、ボルト嵌合穴部３２およびボルト嵌合溝部３４の下部と、ボルト嵌合溝部３４の開口部３３とが開口され、上面などの他の部分は金属板により閉じられて箱形に形成されている。
【００２０】
ボルトカバー３１の最も内奥端の外形は、ボルト嵌合穴部３２と同心状の半円筒形に形成されている。また、ボルト嵌合穴部３２は、最端部の履帯フレーム締結ボルト２８ａおよびそのボルト挿通部２７ａに対して適度な「がた」を持つ丸穴断面である。これにより、ボルトカバー３１は、ボルト嵌合穴部３２と嵌合する最端部の履帯フレーム締結ボルト２８ａおよびそのボルト挿通部２７ａを中心として回転できる。
【００２１】
一方、ボルト嵌合溝部３４は、他の履帯フレーム締結ボルト２８ｂおよびそれらのボルト挿通部２７ｂに対して密着されるＵ溝断面であり、摩擦抵抗により履帯フレーム締結ボルト２８ｂおよびそれらのボルト挿通部２７ｂと一体的に保持されるので、ボルトカバー３１の脱落を防止することが可能である。
【００２２】
さらに、ボルトカバー３１には、図２にも示されるように、履帯フレーム取付体２５の水平面部２５ａおよび垂直面部２５ｂと対向する外側縁部に、楔やバールなどの楔状部材３５を打込むための楔形の隙間部３６，３７，３８が設けられている。
【００２３】
また、ボルトカバー３１は、履帯フレーム取付体２５の一側部および他側部に設けられたボルト結合部２６にそれぞれ設置されているが、両側部のボルトカバー３１にてそれぞれのボルト嵌合穴部３２とは反対側に位置する端面４１，４２どうしを締結する締結手段４３が設けられ、この締結手段４３により両側部のボルトカバー３１が相互に固定されている。
【００２４】
この締結手段４３は、両側部のボルトカバー３１の端面４１，４２に例えばポリウレタン製のバンド４４，４５が取付けられ、一方のバンド４４を他方のバンド４５の先端に取付けられたバックル４６に通して、両ボルトカバー３１を履帯フレーム取付体２５側に引付けながら締結固定する。これにより、両側のボルトカバー３１の脱落防止を確実なものとする。
【００２５】
次に、この実施の形態の作用効果を説明する。
【００２６】
ベースフレーム１７の履帯フレーム取付体２５に履帯フレーム１８を複数の履帯フレーム締結ボルト２８により締結した後、これらの履帯フレーム締結ボルト２８のボルトヘッド部が突出する履帯フレーム取付体２５のボルト結合部２６に、ボルトカバー３１を次のように着脱可能に設置する。
【００２７】
すなわち、最端部の履帯フレーム締結ボルト２８ａおよびそのボルト挿通部２７ａにボルトカバー３１のボルト嵌合穴部３２を上方より嵌合するとともに、この最端部の履帯フレーム締結ボルト２８ａおよびそのボルト挿通部２７ａを中心にボルトカバー３１を履帯フレーム取付体２５の垂直面部２５ｂに向かって回転させることで、ボルトカバー３１の側方に設けられた開口部３３よりボルトカバー３１のボルト嵌合溝部３４を最端部の履帯フレーム締結ボルト２８ａ以外の他の履帯フレーム締結ボルト２８ｂおよびそれらのボルト挿通部２７ｂに嵌着させる。
【００２８】
そして、ポリウレタン製の一方のバンド４４を他方のバンド４５のバックル４６に通して、両側のボルトカバー３１の端面４１，４２どうしを履帯フレーム取付体２５側に引付けながら締結することにより、両側のボルトカバー３１の脱落を確実に防止する。
【００２９】
一方、これらのボルトカバー３１を取外すときは、一側のバンド４４から他側のバンド４５のバックル４６を外し、最端部の履帯フレーム締結ボルト２８ａおよびそのボルト挿通部２７ａを中心に両側のボルトカバー３１を履帯フレーム取付体２５の垂直面部２５ｂから離間する方向に開くように回転させることで、各ボルトカバー３１のボルト嵌合溝部３４内に嵌着された履帯フレーム締結ボルト２８ｂおよびそれらのボルト挿通部２７ｂをボルトカバー３１の側方に設けられた開口部３３より相対的に外す。
【００３０】
このようにして、ボルトカバー３１を水平方向に回転させて嵌脱させるようにしたので、図４に示されるようにボルト軸方向に履帯２４などが位置してスペースの余裕がない場合でも、ボルトカバー３１を履帯フレーム取付体２５のボルト結合部２６に対し容易に着脱できる。
【００３１】
そして、履帯フレーム取付体２５のボルト結合部２６上にボルトカバー３１を被嵌設置することで、土砂落しの困難な履帯フレーム締結ボルト２８のボルトヘッド部およびその周辺部に土砂が直接堆積するおそれを、このボルトカバー３１により防止できるとともに、着脱可能に設置されたボルトカバー３１を取外すことで、このボルトカバー３１上に堆積した土砂落しを容易にできる。
【００３２】
特に、このボルトカバー３１の取外しは、履帯フレーム取付体２５と対向するボルトカバー３１の隙間部３６，３７，３８に楔、バールなどの楔状部材３５を打込むことで、履帯フレーム取付体２５に対しボルトカバー３１を上方または側方へ浮かすように動かして容易に取外すことができるとともに、このボルトカバー３１の動きで、履帯フレーム取付体２５上およびボルトカバー３１上に堆積して固着している土砂３９の塊を破壊して、履帯フレーム取付体２５上およびボルトカバー３１上から容易に落すことができる。
【００３３】
さらに、履帯フレーム取付体２５の両側部に設けられたボルトカバー３１にてボルト嵌合穴部３２とは反対側に位置する端面４１，４２どうしを締結手段４３により締結するので、これらのボルトカバー３１がそれらのボルト嵌合穴部３２を中心に開く方向に回動して脱落するおそれを確実に防止できる。
【００３４】
なお、このボルトカバー３１が設けられた走行装置は、油圧ショベルに限定されるものではなく、他の履帯式車両の走行装置にも適用できる。
【００３５】
【発明の効果】
請求項１記載の発明によれば、ベースフレームの履帯フレーム取付体に履帯フレームを複数の履帯フレーム締結ボルトにより締結したとき、そのボルトヘッド部が突出する履帯フレーム取付体のボルト結合部にボルトカバーを着脱可能に設置したので、土砂落しの困難な履帯フレーム締結ボルトのボルトヘッド部およびその周辺部に土砂が直接堆積するおそれを、このボルトカバーにより防止できるとともに、着脱可能に設置されたボルトカバーを取外すことで、このボルトカバー上に堆積した土砂落しを容易にできる。
【００３６】
請求項２記載の発明によれば、最端部の履帯フレーム締結ボルトにボルト嵌合穴部を介して嵌合されたボルトカバーを、この最端部の履帯フレーム締結ボルトを中心に回転させることで、ボルトカバーの側方に設けられた開口部よりボルトカバーのボルト嵌合溝部を最端部の履帯フレーム締結ボルト以外の他の履帯フレーム締結ボルトに嵌脱させるようにしたので、ボルト軸方向に履帯などが位置してスペースの余裕がない場合でも、ボルトカバーを履帯フレーム取付体のボルト結合部に対し容易に着脱できる。
【００３７】
請求項３記載の発明によれば、履帯フレーム取付体と対向するボルトカバーの隙間部に楔状部材を打込むことで、履帯フレーム取付体に対しボルトカバーを浮かすように動かして容易に取外すことができるとともに、このボルトカバーの動きで、ボルトカバーに固着している土砂を容易に落すことができる。
【００３８】
請求項４記載の発明によれば、履帯フレーム取付体の両側部に設けられたボルトカバーにてボルト嵌合穴部とは反対側に位置する端面どうしを締結手段により締結するので、これらのボルトカバーがそれらのボルト嵌合穴部を中心に開く方向に回動して脱落するおそれを確実に防止できる。
【図面の簡単な説明】
【図１】本発明に係る走行装置に設置されたボルトカバーの一実施の形態を示す斜視図である。
【図２】同上走行装置のボルトカバー取外し状態を示す正面図である。
【図３】同上走行装置を備えた油圧ショベルを示す側面図である。
【図４】同上走行装置の斜視図である。
【符号の説明】
１７    ベースフレーム
１８    履帯フレーム
２４    履帯
２５    履帯フレーム取付体
２６    ボルト結合部
２７ａ，２７ｂ    ボルト挿通部
２８ａ    最端部の履帯フレーム締結ボルト
２８ｂ    他の履帯フレーム締結ボルト
３１    ボルトカバー
３２    ボルト嵌合穴部
３３    開口部
３４    ボルト嵌合溝部
３６，３７，３８    隙間部
４３    締結手段
【図１】
2005014688.tif 000003
【図２】
2005014688.tif 000004
【図３】
2005014688.tif 000005
【図４】
2005014688.tif 000006